(57)【要約】【課題】画像の識別を容易にすること。【解決手段】記憶部２が、画像ごとに当該画像の特徴部分を対応付けて記憶する。そして、表示画像生成部３が、第一の画像に対応する配置領域のうち、第二の画像に対応する配置領域と重ならない領域である可視領域を抽出し、抽出した可視領域と同一形状であり、記憶部２によって記憶された第一の画像に対応する特徴部分を含む表示画像を生成する。そして、表示部４が、表示画像生成部３によって生成された表示画像を第一の画像に対応する配置領域に配置して表示する。【選択図】        図１
2011191703.tif 000002
【特許請求の範囲】
【請求項１】
画像ごとに当該画像の特徴部分を対応付けて記憶する記憶部と、
第一の画像に対応する配置領域のうち、第二の画像に対応する配置領域と重ならない領域である可視領域を抽出し、抽出した可視領域と同一形状であり、前記記憶部によって記憶された前記第一の画像に対応する特徴部分を含む表示画像を生成する表示画像生成部と、
前記表示画像生成部によって生成された前記表示画像を前記第一の画像に対応する配置領域に配置して表示する表示部と、
を有することを特徴とする表示装置。
【請求項２】
前記表示画像生成部は、前記可視領域から面積が最大となる矩形領域を抽出し、当該矩形領域に前記第一の画像に対応する特徴部分を含む画像を、前記表示画像として生成することを特徴とする請求項１に記載の表示装置。
【請求項３】
前記表示画像生成部は、前記矩形領域に前記第一の画像の周縁を含まない画像を、前記表示画像として生成することを特徴とする請求項２に記載の表示装置。
【請求項４】
前記表示画像生成部は、前記可視領域に前記第一の画像の周縁が含まれる場合には、当該画像の周縁を段階的にぼかした画像を、前記表示画像として生成することを特徴とする請求項１〜３のいずれか１つに記載の表示装置。
【請求項５】
コンピュータによって実行される表示制御方法であって、
前記コンピュータが、
第一の画像に対応する配置領域のうち、第二の画像に対応する配置領域と重ならない領域である可視領域を抽出し、抽出した可視領域と同一形状であり、画像ごとに当該画像の特徴部分を対応付けて記憶する記憶部によって記憶された前記第一の画像に対応する特徴部分を含む表示画像を生成する表示画像生成ステップと、
前記表示画像生成ステップによって生成された前記表示画像を前記第一の画像に対応する配置領域に配置して表示する表示ステップと、
を実行することを特徴とする表示制御方法。
【請求項６】
表示装置によって実行される表示制御プログラムであって、
前記表示装置に、
第一の画像に対応する配置領域のうち、第二の画像に対応する配置領域と重ならない領域である可視領域を抽出し、抽出した可視領域と同一形状であり、画像ごとに当該画像の特徴部分を対応付けて記憶する記憶部によって記憶された前記第一の画像に対応する特徴部分を含む表示画像を生成する表示画像生成手順と、
前記表示画像生成手順によって生成された前記表示画像を前記第一の画像に対応する配置領域に配置して表示する表示手順と、
をコンピュータに実行させること特徴とする表示制御プログラム。
【発明の詳細な説明】
【技術分野】
【０００１】
この発明は、表示装置、表示制御方法及び表示制御プログラムに関する。
【背景技術】
【０００２】
従来、画像ファイルなどを効率よく識別するために、サムネイル画像が用いられている。サムネイル画像は、本来の画像ファイルなどを縮小して表示する画像ファイルであり、複数の画像ファイルを一覧表示するためなどに用いられている。そして、多くのサムネイル画像を同一画面に表示する方法として、サムネイル画像を部分的に重ねて複数のサムネイル画像を表示する技術が知られている。
【先行技術文献】
【特許文献】
【０００３】
【特許文献１】特開２００６−２６８２９５号公報
【特許文献２】特開２００１−１２８０４４号公報
【特許文献３】特開２０００−２９５５７０号公報
【特許文献４】特開２０００−１０５７７２号公報
【発明の概要】
【発明が解決しようとする課題】
【０００４】
しかしながら、上述した従来技術では、画像の識別が困難であるという問題があった。具体的には、上述した従来技術では、複数のサムネイル画像が部分的に重なりあって表示されることから、背後に表示されたサムネイル画像がどのような画像であるかを判断することができず、画像の識別が困難である。例えば、上述した従来技術では、手前に重ねられたサムネイル画像によって、背後のサムネイル画像の特徴となる部分が隠されてしまう場合には、背後のサムネイル画像がどのような画像であるかを判断することができず、画像の識別が困難である。
【０００５】
そこで、本開示の技術は、上述した従来技術の問題を鑑みて、画像の識別を容易にすることが可能である表示装置、表示制御方法及び表示制御プログラムを提供することを目的とする。なお、便宜上、以下ではサムネイル画像を用いる実施例を説明するが、本発明の対象とする画像はサムネイル画像に限られるものではない。
【課題を解決するための手段】
【０００６】
上述した課題を解決し、目的を達成するため、開示の装置は、記憶部が、画像ごとに当該画像の特徴部分を対応付けて記憶する。そして、表示画像生成部が、第一の画像に対応する配置領域のうち、第二の画像に対応する配置領域と重ならない領域である可視領域を抽出する。さらに、表示画像生成部が、抽出した可視領域と同一形状であり、記憶部によって記憶された第一の画像に対応する特徴部分を含む表示画像を生成する。そして、表示部が、表示画像生成部によって生成された表示画像を第一の画像に対応する配置領域に配置して表示する。
【発明の効果】
【０００７】
開示の装置は、画像の識別を容易にすることを可能にする。
【図面の簡単な説明】
【０００８】
【図１】図１は、実施例１に係る表示装置の構成を示す図である。
【図２】図２は、実施例２に係る携帯端末装置の構成を示す図である。
【図３】図３は、画像データ記憶部を示す図である。
【図４】図４は、実施例２に係る配置記憶部を示す図である。
【図５】図５は、データ更新部を示す図である。
【図６】図６は、実施例２に係る表示画像生成部による矩形領域抽出処理を示す図である。
【図７】図７は、矩形領域の重心を示す図である。
【図８】図８は、実施例２に係る表示画像生成部による移動処理を示す図である。
【図９】図９は、実施例２に係る表示画像生成部によるぼかし処理を示す図である。
【図１０】図１０は、実施例２に係る携帯端末装置の表示制御部を示す図である。
【図１１】図１１は、実施例２に係る携帯端末装置による処理の手順を示す図である。
【図１２】図１２は、実施例２に係る携帯端末装置による表示の一例を示す図である。
【図１３】図１３は、実施例３に係る携帯端末装置の構成を示す図である。
【図１４】図１４は、実施例３に係る配置記憶部を示す図である。
【図１５】図１５は、実施例３に係る表示画像生成部による移動処理を示す図である。
【図１６】図１６は、実施例３に係る携帯端末装置による処理の手順を示す図である。
【図１７】図１７は、実施例３に係る携帯端末装置による表示の一例を示す図である。
【図１８】図１８は、実施例４に係る表示制御プログラムを実行するコンピュータを示す図である。
【発明を実施するための形態】
【０００９】
以下に添付図面を参照して、本願の開示する表示装置、表示制御方法及び表示制御プログラムの実施例を詳細に説明する。なお、本願の開示する表示装置、表示制御方法及び表示制御プログラムは、以下の実施例により限定されるものではない。
【実施例１】
【００１０】
まず、本実施例に係る表示装置の構成を説明する。図１は、実施例１に係る表示装置の構成を示す図である。図１に示すように、表示装置１は、記憶部２と、表示画像生成部３と、表示部４とを有する。記憶部２は、画像ごとに当該画像の特徴部分を対応付けて記憶する。
【００１１】
表示画像生成部３は、第一の画像に対応する配置領域のうち、第二の画像に対応する配置領域と重ならない領域である可視領域を抽出し、抽出した可視領域と同一形状であり、記憶部２によって記憶された第一の画像に対応する特徴部分を含む表示画像を生成する。表示部４は、表示画像生成部３によって生成された表示画像を第一の画像に対応する配置領域に配置して表示する。
【００１２】
上述したように、実施例１に係る表示装置１は、他の画像によって覆われる領域以外の可視領域に画像の特徴部分を表示する。従って、実施例１に係る表示装置１は、利用者の視認性を向上させ、画像の識別を容易にすることを可能にする。
【００１３】
例えば、サムネイル画像を配置する際に、手前に重ねられたサムネイル画像によって背後のサムネイル画像の特徴となる部分が隠されてしまう場合でも、実施例１に係る表示装置１は、画像の特徴部分を可視領域に表示することで、画像の識別を容易にする。
【実施例２】
【００１４】
［実施例２に係る携帯端末装置の構成］
実施例２では、表示装置として携帯端末装置を用いる場合を例に挙げて説明する。なお、携帯端末装置とは、例えば、携帯電話、ＰＨＳ(Personal Handyphone System)、ＰＤＡ(Personal Digital Assistant)、通信機能を備えた携帯型パーソナルコンピュータなどである。図２は、実施例２に係る携帯端末装置１０の構成を示す図である。
【００１５】
図２に示すように、携帯端末装置１０は、アンテナ２０と、無線部３０と、近距離無線部４０と、入力部５０と、デジタルカメラ６０と、表示部７０と、入出力制御Ｉ／Ｆ（interface）部８０と、記憶部９０と、制御部１００とを有する。アンテナ２０は、図示しない基地局との間で信号を送受信する。無線部３０は、アンテナを介して音声信号等の無線信号の送受信を行う。例えば、無線部３０は、Ｗ−ＣＤＭＡ（Wideband Code Division Multiple Access）ベースバンドプロセッサなどである。
【００１６】
近距離無線部４０は、電磁界や電波などを用いて、数ｃｍ〜数ｍの近距離の無線信号の送受信を行う。例えば、近距離無線部４０は、ＲＦＩＤ（Radio Frequency Identification）やＢｌｕｅｔｏｏｔｈなどである。入力部５０は、携帯端末装置の利用者による種々の情報の入力処理を受付ける。例えば、入力部５０は、操作キーやタッチパネルなどである。
【００１７】
デジタルカメラ６０は、画像を撮像素子で撮影するカメラである。表示部７０は、情報を表示出力する。例えば、表示部７０は、液晶ディスプレイやスピーカなどである。入出力制御Ｉ／Ｆ部８０は、無線部３０、近距離無線部４０、入力部５０、デジタルカメラ６０、表示部７０と制御部１００との間での各種情報のやり取りを制御するインタフェース部である。
【００１８】
記憶部９０は、図２に示すように、画像データ記憶部９１と、配置記憶部９２とを有し、入力部５０を介して利用者から入力された情報や後述する制御部１００による処理結果などを記憶する。記憶部９０は、例えば、ＲＡＭ（Random Access Memory）、ＲＯＭ（Read Only Memory）、フラッシュメモリ（Flash Memory）などの半導体メモリ素子、または、ハードディスク、光ディスクなどの記憶装置である。
【００１９】
画像データ記憶部９１は、画像ごとに画像の特徴部分を対応付けて記憶する。具体的には、画像データ記憶部９１は、利用者が画像の識別に用いる情報を画像データごとに対応付けて記憶する。図３は、画像データ記憶部９１を示す図である。図３においては、画像データがＥｘｉｆ（Exchangeable image file format for Digital Still Camera）形式で保存されていることを示している。図３の「ＳＯＩ（Start Of Image）」とは、画像データの始端を識別するためのマーカーを示している。また、図３の「ＡＰＰ１」とは、画像データに関する情報が含まれたＥｘｉｆ独自のマーカーを示している。図３の「ＥＯＩ（End Of Image）」とは、画像データの終端を識別するためのマーカーを示している。
【００２０】
図３に示すように、画像データ記憶部９１は、ＡＰＰ１内にＡＰＰ１マーカーの始端を識別するための「Ｍａｒｋｅｒ（ＡＰＰ１）」やサムネイル画像の情報である「１ｓｔＩＦＤ（Image File Directory）」など記憶している。そして、画像データ記憶部９１は、サムネイル画像の情報として、１ｓｔＩＦＤにフィールド１〜ｎまでのフィールド数を記憶している。
【００２１】
ここで、画像データ記憶部９１は、画像データに対応付けて画像の特徴部分を記憶する。例えば、画像データ記憶部９１は、図３に示すように、「ＡＰＰ１」の「１ｓｔＩＦＤ」に「フォーカス点（Ｘ１、Ｙ１）」を記憶する。なお、「フォーカス点」とは、画像撮影時に焦点が定まっていた座標を意味する。
【００２２】
図２に戻って、配置記憶部９２は、後述する制御部１００が表示部７０にサムネイル画像を表示する際の、サムネイル画像の配置状態を記憶する。図４は、実施例２に係る配置記憶部９２を示す図である。図４では、表示部７０にサムネイル画像を表示する際のサムネイル画像の配置状態を示している。図４の領域Ｒ１は、サムネイル画像を表示する領域であるサムネイル画像表示領域を示している。また、図４の領域Ｒ１内に示す複数の四角は、サムネイル画像の配置位置を示している。例えば、図４に示す「Ａ」、「Ｂ」及び「Ｃ」は、それぞれ「配置位置Ａ」、「配置位置Ｂ」及び「配置位置Ｃ」を示している。
【００２３】
また、図４に示す「ａ」及び「ｂ」は、サムネイル画像の配置位置の辺を示している。すなわち、図４の「ａ」は、四角で示すサムネイル画像の配置位置の上辺を示しており、図４の「ｂ」は、サムネイル画像の配置位置の右辺を示している。なお、図示してないが、サムネイル画像の配置位置のすべての上辺は「ａ」である。また、サムネイル画像の配置位置のすべての右辺は「ｂ」である。例えば、配置記憶部９２は、図４に示すように、複数のサムネイル画像を円状に重ねて配置する配置状態を記憶する。
【００２４】
図２に戻って、制御部１００は、データ更新部１０１と、表示画像生成部１０２と、表示制御部１０３とを有し、記憶部９０に記憶された画像データのサムネイル画像を表示する際の各種処理を実行する。制御部１００は、例えば、ＡＳＩＣ（Application Specific Integrated Circuit）やＦＰＧＡ（Field Programmable Gate Array）などの集積回路、または、ＣＰＵ（Central Processing Unit）やＭＰＵ（Micro Processing Unit）などの電子回路である。
【００２５】
データ更新部１０１は、デジタルカメラ６０によって撮影された画像の画像データを画像データ記憶部９１に格納する。図５は、データ更新部１０１を示す図である。図５では、デジタルカメラ６０によって撮影された画像の状態を示している。図５の領域Ｒ２は、デジタルカメラ６０の撮影領域を示している。また、図５の領域Ｒ３は、デジタルカメラ６０の焦点設定領域を示している。図５の横方向の矢印はＸ軸を示し、縦方向の矢印はＹ軸を示している。
【００２６】
例えば、図５に示すように、デジタルカメラ６０によって座標（Ｘ１、Ｙ１）を中心とする顔の位置に焦点が設定された画像が撮影された場合には、データ更新部１０１は、画像データに焦点の座標（Ｘ１、Ｙ１）を対応付けて画像データ記憶部９１に格納する。すなわち、データ更新部１０１は、図３に示すように、画像データの「ＡＰＰ１」の「１ｓｔＩＦＤ」にフォーカス点（Ｘ１、Ｙ１）を格納する。
【００２７】
図２に戻って、表示画像生成部１０２は、第一の画像に対応する配置領域のうち、第二の画像に対応する配置領域と重ならない領域である可視領域を抽出する。そして、表示画像生成部１０２は、抽出した可視領域と同一形状であり、画像データ記憶部９１によって記憶された第一の画像に対応する特徴部分を含む表示画像を生成する。また、表示画像生成部１０２は、可視領域から面積が最大となる矩形領域を抽出し、当該矩形領域に第一の画像に対応する特徴部分を含む画像を、表示画像として生成する。
【００２８】
さらに、表示画像生成部１０２は、矩形領域に第一の画像の周縁を含まない画像を、表示画像として生成する。また、さらに、表示画像生成部１０２は、可視領域に第一の画像の周縁が含まれる場合には、当該画像の周縁を段階的にぼかした画像を、表示画像として生成する。
【００２９】
具体的には、表示画像生成部１０２は、画像データ記憶部９１によって記憶されたサムネイル画像の情報と配置記憶部９２によって記憶されたサムネイル画像の配置情報とを用いて、表示部７０に表示するサムネイル画像の表示画像を生成する。すなわち、表示画像生成部１０２は、配置記憶部９２が記憶する配置状態でサムネイル画像を配置した際に、利用者に表示される表示画像を生成する。以下では、図４に示す配置状態でサムネイル画像を表示する場合の表示画像生成部１０２による処理について説明する。また、以下では、表示画像生成部１０２が、図４のＡの位置に表示するサムネイル画像に対して実行する処理を例に挙げて説明する。
【００３０】
例えば、表示画像生成部１０２は、図４のＡの位置に表示するサムネイル画像に対して処理を実行する場合には、まず、他のサムネイル画像によって覆われない可視領域を抽出する。すなわち、図４のＡの位置においては、表示画像生成部１０２は、配置位置ＢおよびＣによって覆われておらず、画像部分が視認可能となる可視領域を抽出する。そして、表示画像生成部１０２は、抽出した可視領域から矩形をさらに抽出する。図６は、実施例２に係る表示画像生成部による矩形領域抽出処理を示す図である。図６では、図４のＡに示す可視領域から抽出された８パターンの矩形領域を示している。図６の黒色の領域が、表示画像生成部１０２によって抽出された矩形領域を示している。
【００３１】
ここで、可視領域からの矩形領域の抽出方法について説明する。矩形領域は、サムネイル画像を覆う位置に重なっている他の配置位置の辺を可視領域上に延長することにより抽出される。例えば、図６の（１）は、図４に示す「配置位置Ｂ」の辺ａが可視領域上に延長されて形成される矩形領域を示している。また、図６の（２）は、図４に示す「配置位置Ｂ」の辺ｂが可視領域上に延長されて形成される矩形領域を示している。また、図６の（３）は、図４に示す「配置位置Ｃ」の辺ｂが可視領域上に延長されて形成される矩形領域を示している。同様に、図６の（４）〜（８）は、図４に示す「配置位置Ｂ」の辺又は「配置位置Ｃ」の辺、又は、「配置位置Ｂ」の辺及び「配置位置Ｃ」の辺が可視領域上に延長されて形成される矩形領域を示している。
【００３２】
そして、表示画像生成部１０２は、抽出した矩形領域のなかで、面積が最大となる矩形領域をさらに抽出する。例えば、表示画像生成部１０２は、図６に示す８パターンの矩形領域のなかから、面積が最大である図６の（１）に示す矩形領域を抽出する。
【００３３】
そして、表示画像生成部１０２は、抽出した最大面積の矩形領域の重心を算出する。図７は、矩形領域の重心を示す図である。図７には、図６の（１）に示す矩形領域の重心が示されている。例えば、表示画像生成部１０２は、図７に示すように、矩形領域の各辺における中点をそれぞれ算出し、算出した中点のうち対向する２辺の中点を通過する２本の直線が交差する位置を重心として算出する。
【００３４】
そして、表示画像生成部１０２は、算出した重心とサムネイル画像の焦点とを合せる。例えば、表示画像生成部１０２は、算出した重心とサムネイル画像のフォーカス点（Ｘ１、Ｙ１）とを合せる。ここで、サムネイル画像の領域から外れる矩形領域がある場合には、表示画像生成部１０２は、サムネイル画像を矩形領域内に移動させる移動処理を実行する。
【００３５】
図８は、実施例２に係る表示画像生成部１０２による移動処理を示す図である。図８には、移動処理前の矩形領域がサムネイル画像の領域から外れている状態と、移動処理後の状態とを示している。例えば、表示画像生成部１０２は、図８の（１）に示すように、矩形領域がサムネイル画像の領域から外れている場合には、図８の（２）に示すように、矩形領域内にサムネイル画像を移動させる。
【００３６】
さらに、表示画像生成部１０２は、可視領域においてサムネイル画像以外の領域である余剰領域とサムネイル画像との境界を段階的にぼかしていくぼかし処理を実行する。図９は、実施例２に係る表示画像生成部１０２によるぼかし処理を示す図である。図９には、ぼかし処理前の状態と、ぼかし処理後の状態とを示している。図９の実線で囲んだ領域が可視領域を示している。また、図９の（１）の黒色の領域が、可視領域におけるサムネイル画像の領域を示している。
【００３７】
例えば、表示画像生成部１０２は、図９の（１）に示すように、可視領域内のサムネイル画像の領域側から余剰領域側に、サムネイル画像の背景と同系の色を用いて段階的に境界をぼかしていくぼかし処理を実行する。そして、表示画像生成部１０２は、図９の（２）に示すように、余剰領域全体に色付けを行った表示画像を生成する。
【００３８】
図２に戻って、表示制御部１０３は、表示画像生成部１０２によって生成された表示画像を第一の画像に対応する配置領域に配置して表示部７０に表示させる。図１０は、実施例２に係る携帯端末装置の表示制御部１０３を示す図である。図１０では、表示画像が可視領域に配置された状態を示している。例えば、表示制御部１０３は、図１０に示すように、図９の（２）に示す表示画像を図１０のＡの可視領域に配置したサムネイル画像を表示部７０に表示させる。
【００３９】
なお、上述した例では、図４のＡの位置に表示するサムネイル画像に対して処理を実行する場合について説明したが、表示画像生成部１０２は、表示するすべてのサムネイル画像に対して上記と同様の処理を実行する。
【００４０】
［実施例２に係る携帯端末装置による処理の手順］
次に、実施例２に係る携帯端末装置による処理の手順を説明する。図１１は、実施例２に係る携帯端末装置１０による処理の手順を示す図である。図１０に示すように、サムネイル画像の表示が、サムネイル画像が部分的に重なって表示される部分表示である場合には、（ステップＳ１０１肯定）、表示画像生成部１０２がサムネイル画像の焦点を取得する（ステップＳ１０２）。そして、表示画像生成部１０２は、サムネイル画像の配置位置において他の配置位置によって覆われていない可視領域から面積が最大となる矩形領域を抽出する（ステップＳ１０３）。なお、サムネイル画像の表示が、部分表示ではない場合には（ステップＳ１０１否定）、表示制御部１０３は、画像全体を示すサムネイル画像を表示部７０に表示させる（ステップＳ１０８）。
【００４１】
そして、表示画像生成部１０２は、矩形領域においてサムネイル画像の領域から外れる部分があるか否かを判定する（ステップＳ１０４）。具体的には、表示画像生成部１０２は、ステップＳ１０２で取得したサムネイル画像の焦点と矩形領域の重心とを合せた後、矩形領域においてサムネイル画像の領域から外れる部分があるか否かを判定する。ここで、領域から外れる部分があると判定した場合には（ステップＳ１０４肯定）、表示画像生成部１０２は、サムネイル画像を矩形領域内に移動させて（ステップＳ１０５）、可視領域にサムネイル画像を配置する（ステップＳ１０６）。
【００４２】
一方、矩形領域においてサムネイル画像の領域から外れる部分がないと判定した場合には（ステップＳ１０４否定）、表示画像生成部１０２は、可視領域にサムネイル画像を配置する（ステップＳ１０６）。そして、表示画像生成部１０２は、可視領域における画像領域と余剰領域との境界をぼかすように加工して（ステップＳ１０７）、表示画像を生成する。続いて、表示制御部１０３が、表示画像生成部１０２によって生成された表示画像を可視領域に配置したサムネイル画像を表示部７０に表示させて（ステップＳ１０８）、処理を終了する。
【００４３】
［実施例２の効果］
上述したように、実施例２によれば、画像データ記憶部９１が、画像ごとに当該画像の特徴部分を対応付けて記憶する。そして、表示画像生成部１０２が、第一の画像に対応する配置領域のうち、第二の画像に対応する配置領域と重ならない領域である可視領域を抽出する。さらに、表示画像生成部１０２が、抽出した可視領域と同一形状であり、画像データ記憶部９１によって記憶された第一の画像に対応する特徴部分を含む表示画像を生成する。そして、表示部７０が、表示画像生成部１０２によって生成された表示画像を第一の画像に対応する配置領域に配置して表示する。従って、実施例２に係る携帯端末装置１０は、画像の視認性を向上させることができ、利用者による画像の識別を容易にすることを可能にする。
【００４４】
また、実施例２によれば、表示画像生成部１０２が、可視領域から面積が最大となる矩形領域を抽出し、当該矩形領域に第一の画像に対応する特徴部分を含む画像を、表示画像として生成する。従って、実施例２に係る携帯端末装置１０は、サムネイル画像の配置状態によって変化する可視領域の形状を考慮した表示制御を行うことを可能になる。
【００４５】
また、実施例２によれば、表示画像生成部１０２は、矩形領域に第一の画像の周縁を含まない画像を、表示画像として生成する。従って、実施例２に係る携帯端末装置１０は、自然なサムネイル画像を表示することができ、利用者の視認性をさらに向上させて、画像の識別をさらに容易にすることを可能にする。
【００４６】
また、実施例２によれば、表示画像生成部１０２は、可視領域に第一の画像の周縁が含まれる場合には、当該画像の周縁を段階的にぼかした画像を、表示画像として生成する。従って、実施例２に係る携帯端末装置１０は、可視領域における画像領域と非画像領域との境界を目立たなくすることができ、利用者の視認性をまたさらに向上させて、画像の識別をまたさらに容易にすることを可能にする。
【００４７】
ここで、実施例２に係る携帯端末装置１０を用いた場合のサムネイル画像の表示例について、図１２を用いて説明する。図１２は、実施例２に係る携帯端末装置１０による表示の一例を示す図である。図１２では、携帯端末装置１０の表示部７０にサムネイル画像が表示された状態を示している。図１２に示すように、携帯端末装置１０は、複数のサムネイル画像を円状に重ねて配置する場合であっても、画像の特徴部分である顔部分を表示することによって、利用者が容易に画像を識別することを可能にする。
【実施例３】
【００４８】
上記実施例２では、複数のサムネイル画像が円状に重ねて配置される場合について説明した。実施例３では、複数のサムネイル画像が横方向に重ねて配置される場合について説明する。
【００４９】
［実施例３に係る携帯端末装置の構成］
まず、実施例３に係る携帯端末装置の構成について説明する。図１３は、実施例３に係る携帯端末装置１０ａの構成を示す図である。実施例３に係る携帯端末装置１０ａは、図１３に示すように、実施例２に係る携帯端末装置１０と比較して、配置記憶部９２ａによって記憶されるデータと、表示画像生成部１０２ａによる処理内容とが、実施例２とは異なる。以下、これらを中心に説明する。
【００５０】
配置記憶部９２ａは、制御部１００ａが表示部７０にサムネイル画像を表示する際の、サムネイル画像の配置状態を記憶する。図１４は、実施例３に係る配置記憶部９２ａを示す図である。図１４では、表示部７０にサムネイル画像を表示する際のサムネイル画像の配置状態を示している。図１４の領域Ｒ１は、サムネイル画像を表示する領域であるサムネイル画像表示領域を示している。また、図１４のＲ１内に示す複数の四角は、サムネイル画像の配置位置を示している。例えば、図１４に示す「Ａ」、「Ｂ」及び「Ｃ」は、それぞれ「配置位置Ａ」、「配置位置Ｂ」及び「配置位置Ｃ」を示している。例えば、配置記憶部９２ａは、図１４に示すように、複数のサムネイル画像を横方向に重ねて配置する配置状態を記憶する。
【００５１】
表示画像生成部１０２ａは、可視領域の中点にサムネイル画像の焦点を移動させる移動処理を実行して、表示画像を生成する。図１５は、実施例３に係る携帯端末装置１０ａによる移動処理を示す図である。図１５には、図１４に示す配置位置Ａに配置するサムネイル画像の焦点を可視領域に移動する移動処理前の状態と、移動処理後の状態とを示している。また、図１５の（１）に示す線Ｌ１は、サムネイル画像の焦点と配置位置Ａの左辺とを結ぶ線を示している。
【００５２】
また、図１５に示す点Ｐ１は、サムネイル画像の焦点と配置位置Ａの左辺との交点を示している。また、図１５に示す点Ｐ２は、サムネイル画像の焦点と配置位置Ｂの左辺との交点を示している。なお、図１５の（１）では、線Ｌ１がサムネイル画像の焦点と配置位置Ａの左辺とを結ぶ線であることを説明するために焦点の画像である顔などを示しているが、実際には、顔などは配置位置Ｂに配置されるサムネイル画像によって覆われている。
【００５３】
例えば、表示画像生成部１０２ａは、図１５の（１）に示すように、線Ｌ１と配置位置Ａの左辺との交点Ｐ１と、線Ｌ１と配置位置Ｂとの交点Ｐ２とを算出する。そして、表示画像生成部１０２ａは、Ｐ１とＰ２との中点を算出して、算出した中点とサムネイル画像の焦点とを合せた表示画像を生成する。すなわち、表示画像生成部１０２ａは、図１５の（２）に示すように、可視領域の中点にサムネイル画像の焦点である顔を合せた表示画像を生成する。
【００５４】
なお、上記実施例３では、複数のサムネイル画像が横方向に重ねて配置される場合について説明したが、本実施例はこれに限定するものではなく、例えば、複数のサムネイル画像が縦方向に重ねて配置される場合であってもよい。
【００５５】
［実施例３に係る携帯端末装置による処理の手順］
次に、実施例３に係る携帯端末装置１０ａによる処理の手順を説明する。図１６は、実施例３に係る携帯端末装置１０ａによる処理の手順を示す図である。図１６に示すように、サムネイル画像の表示が、サムネイル画像が部分的に重なって表示される部分表示である場合には（ステップＳ２０１肯定）、表示画像生成部１０２ａがサムネイル画像の焦点を取得する（ステップＳ２０２）。そして、表示画像生成部１０２ａは、サムネイル画像の配置位置において他の配置位置によって覆われていない可視領域を抽出する（ステップＳ２０３）。なお、サムネイル画像の表示が、部分表示ではない場合には（ステップＳ２０１否定）、表示制御部１０３は、画像全体を示すサムネイル画像を表示部７０に表示させる（ステップＳ２０５）。
【００５６】
そして、表示画像生成部１０２ａは、可視領域の中点にサムネイル画像の焦点を移動させる（ステップＳ２０４）。例えば、表示画像生成部１０２ａは、図１５に示すように、Ｐ１とＰ２との中点を算出して、算出した中点とサムネイル画像の焦点とを合せるようにサムネイル画像を移動させる。続いて、表示制御部１０３が、表示画像生成部１０２ａによって生成された表示画像を可視領域に配置したサムネイル画像を表示部７０に表示させて（ステップＳ２０５）、処理を終了する。
【００５７】
［実施例３の効果］
上述したように、実施例３によれば、複数のサムネイル画像が横方向に重ねて配置される場合には、表示画像生成部１０２ａが、可視領域の中点にサムネイル画像の焦点を移動させた表示画像を生成する。そして、表示制御部１０３が、表示画像生成部１０２ａによって生成された表示画像を可視領域に配置したサムネイル画像を表示部７０に表示させる。従って、実施例３に係る携帯端末装置１０ａは、可視領域から矩形領域を抽出することなくサムネイル画像の焦点を可視領域に表示することができ、矩形領域算出に要するリソース消費を抑制することを可能にする。また、実施例３に係る携帯端末装置１０ａは、可視領域から矩形領域を抽出することなくサムネイル画像の焦点を可視領域に表示することで、処理時間を短縮することを可能にする。
【００５８】
ここで、実施例３に係る携帯端末装置１０ａを用いた場合のサムネイル画像の表示例について、図１７を用いて説明する。図１７は、実施例３に係る携帯端末装置１０ａによる表示の一例を示す図である。図１７では、携帯端末装置１０ａの表示部７０にサムネイル画像が表示された状態を示している。図１７に示すように、携帯端末装置１０ａは、複数のサムネイル画像を横方向に重ねて配置する場合であっても、画像の特徴部分である顔部分を表示することによって、利用者が容易に画像を識別することを可能にする。
【実施例４】
【００５９】
さて、これまで実施例１〜３について説明したが、上述した実施例１〜３以外にも、種々の異なる形態にて実施されてよいものである。そこで、以下では、種々の異なる実施例を（１）〜（６）に区分けして説明する。
【００６０】
（１）表示装置
上記実施例２及び３では、表示装置として携帯端末装置を用いる場合について説明したが、本実施例はこれに限定するものではなく、例えば、デジタルカメラなどを用いる場合であってもよい。
【００６１】
（２）表示領域
上記実施例２及び３では、サムネイル画像を表示する領域が矩形である場合について説明したが、本実施例はこれに限定するものではなく、例えば、曲線が含まれる形状の可視領域にサムネイル画像を表示する場合であってもよい。
【００６２】
（３）矩形領域の算出
上記実施例２では、可視領域から矩形領域を抽出し、抽出した矩形領域にサムネイル画像の焦点の画像を表示する場合について説明した。しかしながら、本実施例はこれに限定するものではなく、例えば、矩形領域を抽出することなく、図４に示す階段状の形状となっている可視領域にサムネイル画像の焦点の画像を表示する場合であってもよい。
【００６３】
（４）特徴部分
上記実施例２及び３では、画像の特徴部分として画像のフォーカス点を用いる場合について説明したが、本実施例はこれに限定するものではなく、例えば、顔認識によって検出された座標点を用いる場合であってもよい。
【００６４】
（５）システム構成等
図示した各装置の各構成要素は機能概念的なものであり、必ずしも物理的に図示された構成要素と同一であることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２に示す画像データ記憶部９１と配置記憶部９２とを一つの記憶部として統合してもよい。また、一方で、図２に示す表示画像生成部を、移動処理を実行する移動処理部と、ぼかし処理を実行するぼかし処理部とに分散してもよい。
【００６５】
（６）表示制御プログラム
また、上記実施例で説明した各種の処理は、あらかじめ用意されたプログラムをコンピュータで実行することによって実現することができる。そこで、以下では、図１８を用いて、図１に示した表示装置１と同様の機能を有する表示制御プログラムを実行するコンピュータの一例を説明する。
【００６６】
図１８は、実施例４に係る表示制御プログラムを実行するコンピュータを示す図である。図１８に示すように、コンピュータ１０００は、ＲＡＭ１０１０と、キャッシュ１０２０と、ＨＤＤ１０３０と、ＲＯＭ１０４０と、ＣＰＵ１０５０と、バス１０６０とを有する。ＲＡＭ１０１０、キャッシュ１０２０、ＨＤＤ１０３０、ＲＯＭ１０４０、ＣＰＵ１０５０は、バス１０６０によって接続されている。
【００６７】
ＲＯＭ１０４０には、図１に示した表示装置１と同様の機能を発揮する表示制御プログラムが予め記憶されている。具体的には、ＲＯＭ１０４０には、表示画像生成プログラム１０４１と、表示プログラム１０４２とが記憶されている。
【００６８】
そして、ＣＰＵ１０５０は、これらの表示画像生成プログラム１０４１と、表示プログラム１０４２とを読み出して実行する。これにより、図１８に示すように、表示画像生成プログラム１０４１は、表示画像生成プロセス１０５１になり、表示プログラム１０４２は、表示プロセス１０５２になる。なお、表示画像生成プロセス１０５１は、図１に示した表示画像生成部３に対応し、表示プロセス１０５２は、図１に示した表示部４に対応する。
【００６９】
また、ＨＤＤ１０３０には、図１８に示すように、記憶部１０３１が設けられる。記憶部１０３１は、図１に示した記憶部２に対応する。
【００７０】
なお、上記した各プログラム１０４１及び１０４２については、必ずしもＲＯＭ１０４０に記憶させなくてもよい。例えば、コンピュータ１０００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」にプログラム１０４１及び１０４２を記憶させてもよい。または、コンピュータ１０００の内外に備えられるハードディスクドライブ（ＨＤＤ）などの「固定用の物理媒体」にプログラム１０４１及び１０４２を記憶させてもよい。または、公衆回線、インターネット、ＬＡＮ、ＷＡＮなどを介してコンピュータ１０００に接続される「他のコンピュータ（またはサーバ）」にプログラム１０４１及び１０４２を記憶させてもよい。そして、コンピュータ１０００は、上述したフレキシブルディスク等から各プログラムを読み出して実行するようにしてもよい。
【符号の説明】
【００７１】
１  表示装置       
２、９０、９０ａ  記憶部
３、１０２、１０２ａ  表示画像生成部
４、７０  表示部
１０、１０ａ  携帯端末装置
６０  デジタルカメラ
９１  画像データ記憶部
９２  配置記憶部
１０３  表示制御部
【図１】
2011191703.tif 000003
【図２】
2011191703.tif 000004
【図３】
2011191703.tif 000005
【図４】
2011191703.tif 000006
【図５】
2011191703.tif 000007
【図６】
2011191703.tif 000008
【図７】
2011191703.tif 000009
【図８】
2011191703.tif 000010
【図９】
2011191703.tif 000011
【図１０】
2011191703.tif 000012
【図１１】
2011191703.tif 000013
【図１２】
2011191703.tif 000014
【図１３】
2011191703.tif 000015
【図１４】
2011191703.tif 000016
【図１５】
2011191703.tif 000017
【図１６】
2011191703.tif 000018
【図１７】
2011191703.tif 000019
【図１８】
2011191703.tif 000020